(57)【要約】【課題】紙粉量が多く、また繊維の大きな紙粉が発生しても確実にこれを除去し、しかも特定個所に紙粉が堆積させず、的確に紙粉受けに紙粉を収容させることができる用紙搬送装置を提供する。【解決手段】用紙搬送ローラ２に当接する第１紙粉除去シート４と、第１紙粉除去シート４の下方にあって用紙搬送ローラ２に当接する第２紙粉除去シート５と、第１紙粉除去シート４及び第２紙粉除去シート５により用紙搬送ローラ２から除去された紙粉を収容する紙粉受け６とを備えた用紙搬送装置。【選択図】図１
2007197215.tif 000002
【特許請求の範囲】
【請求項１】
用紙搬送ローラの外周面に先端にて当接する第１紙粉除去シートと、第１紙粉除去シートの下方にあって用紙搬送ローラの外周面に先端にて当接する第２紙粉除去シートと、第１紙粉除去シート及び第２紙粉除去シートにより用紙搬送ローラから除去された紙粉を収容する紙粉受けと、を備えたことを特徴とする用紙搬送装置。
【請求項２】
請求項１記載の用紙搬送装置において、前記用紙搬送ローラと前記第１紙粉除去シートに当接し、紙粉を前記紙粉受けに送り込む方向に回転するブラシローラを備えたことを特徴とする用紙搬送装置。
【請求項３】
請求項１記載の用紙搬送装置を搭載したことを特徴とする画像形成装置。
【請求項４】
請求項２記載の用紙搬送装置において、前記ブラシローラは、前記第１紙粉除去シートに対して接離可能に設けられていることを特徴とする用紙搬送装置。
【請求項５】
請求項２記載の用紙搬送装置において、前記ブラシローラは、前記第１紙粉除去シート上を移動可能に設けられていることを特徴とする用紙搬送装置。
【請求項６】
請求項２記載の用紙搬送装置において、紙粉清掃動作モードを有し、このモードの実行時に、前記用紙搬送ローラを構成する駆動ローラと従動ローラとを離間させることを特徴とする用紙搬送装置。
【請求項７】
請求項２記載の用紙搬送装置において、前記用紙搬送ローラの側面に、紙粉吸引機構を設けることを特徴とする用紙搬送装置。
【請求項８】
請求項７記載の用紙搬送装置において、前記紙粉吸引機構は、吸気手段と集塵手段とを備えることを特徴とする用紙搬送装置。
【請求項９】
請求項６及び７記載の用紙搬送装置において、前記紙粉吸引機構は、前記紙粉清掃動作モード時に間歇動作することを特徴とする用紙搬送装置。
【請求項１０】
請求項７記載の用紙搬送装置において、前記紙粉吸引機構を構成する前記吸気手段は、前記用紙搬送ローラの手前側近傍に配置されたレジストセンサの側面に対面していることを特徴とする用紙搬送装置。
【請求項１１】
請求項１０記載の用紙搬送装置において、前記レジストセンサ近傍に整流手段を設けることを特徴とする用紙搬送装置。
【発明の詳細な説明】
【技術分野】
【０００１】
本発明は、用紙搬送装置及びその用紙搬送装置を搭載した画像形成装置に関する。
【背景技術】
【０００２】
電子写真式の画像形成装置においては、従来から、感光体上のトナー像を用紙上に転写する転写部に紙粉が搬送されてくることで画質が劣化するのを防止するために、転写部の手前に位置するレジストローラに紙粉除去装置が取り付けられていた。
その紙粉除去装置は、先端がレジストローラに当接する弾性フィルム状の紙粉除去部材と、紙粉受けから構成され、紙粉除去部材により回転するレジストローラ表面の紙粉を掻き取り紙粉受けに収容するようになっている。
【発明の開示】
【発明が解決しようとする課題】
【０００３】
ところで、最近は、より低コストの用紙が流通するようになり、低品質紙を使用した場合、紙粉量も増大し、また繊維の大きな紙粉が発生する傾向にあるため、従来構造の紙粉除去装置では対処し切れない情況となっている。また使用する用紙サイズのうち、１種類のみの使用量が突出すると、紙粉の堆積する位置が固定されてしまい、紙粉受けが満杯でないにも関わらずその位置で紙粉が溢れてしまうこともある。
本発明は、紙粉量が多く、また繊維の大きな紙粉が発生しても確実にこれを除去し、しかも特定個所に紙粉を堆積させず、的確に紙粉受けに紙粉を収容させることができる用紙搬送装置及び画像形成装置を提供することを目的とする。
【課題を解決するための手段】
【０００４】
上記目的を達成するために、請求項１記載の発明は、用紙搬送ローラに当接する第１紙粉除去シートと、第１紙粉除去シートの下方にあって用紙搬送ローラに当接する第２紙粉除去シートと、第１紙粉除去シート及び第２紙粉除去シートにより用紙搬送ローラから除去された紙粉を収容する紙粉受けとを備えた用紙搬送装置を最も主要な特徴とする。
請求項２記載の発明は、請求項１記載の用紙搬送装置において、用紙搬送ローラと第１紙粉除去シートに当接し、紙粉を紙粉受けに送り込む方向に回転するブラシローラを備えた用紙搬送装置を主要な特徴とする。
請求項３記載の発明は、請求項１記載の用紙搬送装置を搭載した画像形成装置を最も主要な特徴とする。
請求項４記載の発明は、請求項２記載の用紙搬送装置において、前記ブラシローラは、前記第１紙粉除去シートに対して接離可能に設けられている用紙搬送装置を主要な特徴とする。
【０００５】
請求項５記載の発明は、請求項２記載の用紙搬送装置において、前記ブラシローラは、前記第１紙粉除去シートに対して移動可能に設けられている用紙搬送装置を主要な特徴とする。
請求項６記載の発明は、請求項２記載の用紙搬送装置において、紙粉清掃動作モードを有し、このモードの実行時に、前記用紙搬送ローラを構成する駆動ローラと従動ローラとを離間させる用紙搬送装置を主要な特徴とする。
請求項７記載の発明は、請求項２記載の用紙搬送装置において、前記用紙搬送ローラの側面に、紙粉吸引機構を設ける用紙搬送装置を主要な特徴とする。
【０００６】
請求項８記載の発明は、請求項７記載の用紙搬送装置において、前記紙粉吸引機構は、吸気ファンと集塵箱とを備える用紙搬送装置を主要な特徴とする。
請求項９記載の発明は、請求項６及び７記載の用紙搬送装置において、前記紙粉吸引機構は、前記紙粉清掃動作モード時に間歇動作する用紙搬送装置を主要な特徴とする。
請求項１０記載の発明は、請求項７記載の用紙搬送装置において、前記紙粉吸引機構を構成する前記吸気ファンは、前記用紙搬送ローラの手前側近傍に配置されたレジストセンサの側面に対面している用紙搬送装置を主要な特徴とする。
請求項１１記載の発明は、請求項１０記載の用紙搬送装置において、前記レジストセンサ近傍に整流フィンを設ける用紙搬送装置を主要な特徴とする。
【発明の効果】
【０００７】
本発明の用紙搬送装置は、用紙搬送ローラに当接する第１紙粉除去シートと、第１紙粉除去シートの下方にあって用紙搬送ローラに当接する第２紙粉除去シートと、第１紙粉除去シート及び第２紙粉除去シートにより用紙搬送ローラから除去された紙粉を収容する紙粉受けとを備え、さらに、用紙搬送ローラと第１紙粉除去シートに当接し、紙粉を紙粉受けに送り込む方向に回転するブラシローラを備えたので、紙粉量が多く、また繊維の大きな紙粉が発生しても確実にこれを除去し、しかも特定個所に紙粉が堆積せず、的確に紙粉受けに紙粉を収容させることができる。
【発明を実施するための最良の形態】
【０００８】
以下、本発明の実施形態を図面に従って説明する。
図１は本発明の実施形態に係る用紙搬送装置の構成図である。本用紙搬送装置は画像形成装置のレジスト部を示すものであり、図示しない給紙部から給紙された用紙は、用紙搬送経路１を経て駆動ローラ２−１と従動ローラ２−２とからなるレジストローラ対（用紙搬送ローラ対）２に突き当たるようになっている。レジストローラ対２の更に下流側には転写部があり、感光体上のトナー像を用紙上に転写する。
従動ローラ２−２には、図示しない枠体に軸支または固定されたブラシローラ３、第１紙粉除去シート４、第２紙粉除去シート５が当接している。第１紙粉除去シート４、第２紙粉除去シート５は、例えば図示しない支持部材によってその幅方向（用紙搬送方向と直交する方向）の端部を支持される。ブラシローラ３、第１紙粉除去シート４、第２紙粉除去シート５によって除去されたレジストローラ対２表面の紙粉は紙粉受け６に収容される。
【０００９】
紙粉受け６の中央の第１折り曲げ片６−１には、ブラシローラ３の毛先と先端にて接する弾性フィルム７が設けてある。また紙粉受け６の上面の第２折り曲げ片６−２の先端もブラシローラ３の毛先と接している。
用紙を図示しない転写部に搬送する際、レジストローラ対２には紙粉が付着する。レジストローラ対２に付着した紙粉は、第１紙粉除去シート４によって掻きとられ、紙粉受け６に収容される。
繊維の大きな紙粉を持つ用紙を使用した場合に、第１紙粉除去シート４先端には紙粉の繊維が絡み付き、これによって発生した従動ローラ２−２と第１紙粉除去シート４の隙間から他の紙粉がすり抜けて再度用紙上に落ちることがある。これを防ぐために上記の隙間からすり抜けた紙粉を掻き取るための第２紙粉除去シート５を備えている。
【００１０】
ブラシローラ３は、従動ローラ２−２の周面と第１紙粉除去シート４の上面に接しており、回転により従動ローラ２−２表面の紙粉を除去し、さらに第１紙粉除去シート４上に堆積する紙粉を紙粉受け６に送り込む機能を有する。
ブラシローラ３を設けることで、第１紙粉除去シート４が掻き取る紙粉量も減少し、紙粉によるすり抜け等の不具合が減るために第１紙粉除去シート４の紙粉除去機能の持続期間を延長できる。ひいては第２紙粉除去シート５の紙粉除去機能の持続期間も延長できる。
【００１１】
ブラシローラ３先端についた紙粉は弾性フィルム７によってはじき落とされて紙粉受け６内に収容される。弾性フィルム７を設けなくても、第１折り曲げ片６−１をブラシローラ３に接するように延長しても同様の効果が得られる。
ここで、ブラシローラ３は、第１紙粉除去シート４に対して接離可能になっている。このことで、第１紙粉除去シート４による紙粉回収動作の妨げとなるのを防止することができる。
また、ブラシローラ３は、第１紙粉除去シート４上を移動可能となっている。このことで、第１紙粉除去シート４上に堆積した紙粉を紙粉受け６の奥に移動させることができる。また、本画像形成装置は、紙粉清掃動作モードを有し、このモード実行時は、駆動ローラ２−１と従動ローラ２−２は離間するようになっている。このことで、従動ローラ２−２上の紙粉が駆動ローラ２−１に転写するのを防ぐことができる。また、ブラシローラ３を紙粉清掃動作モード時のみに動作させるようにしてもよい。
【００１２】
図２は図１の用紙搬送装置の側面に紙粉吸引機構を設けた例を示す側面図である。
レジストローラ対２の側面に、紙粉吸引機構１０を設ける。紙粉吸引機構１０は、吸気手段としての吸気ファン１１と集塵手段としての集塵箱１２とを備える。紙粉吸引機構１０を設けることで、空気中に散乱した紙粉を吸塵することができる。また、紙粉吸引機構１０は、集塵箱１２を設けることで、吸引した紙粉を効率よく回収することができる。また、紙粉吸引機構１０は、上記紙粉清掃動作モード時に間歇動作する。このことで省エネルギ化を図ることができる。
【００１３】
また、この吸気ファン１１はレジストローラ対２の手前側近傍に配置されたレジストセンサ８の側面に対面している。このようにすることで、レジストセンサ８近傍の集塵を行いやすくして、レジストセンサ８への紙粉堆積を防止する。
また、レジストセンサ８近傍に整流フィン（整流手段）９を設けることで、レジストセンサ８近傍の空気の流速を速くすることができる。この結果、レジストセンサ８近傍の集塵をさらに行いやすくして、レジストセンサ８への紙粉堆積を効率よく防止することができる。
【図面の簡単な説明】
【００１４】
【図１】本発明の実施形態に係る用紙搬送装置の構成図。
【図２】図１の用紙搬送装置の側面に紙粉吸引機構を設けた例を示す側面図。
【符号の説明】
【００１５】
２  レジストローラ対（用紙搬送ローラ）
３  ブラシローラ
４  第１紙粉除去シート
５  第２紙粉除去シート
６  紙粉受け
８  レジストセンサ
９  整流フィン
１０  紙粉吸引機構
１１  吸引ファン
１２  集塵箱
【図１】
2007197215.tif 000003
【図２】
2007197215.tif 000004